(57)【要約】【課題】  駆動モジュール間の輝度のばらつきを低減させる。【解決手段】  駆動モジュールＤＲ１〜ＤＲ３は、モニタ電流出力回路２２２を備え、モニタ電流信号ＭＩ１２、ＭＩ２１、ＭＩ２２、およびＭＩ３１を出力する。制御回路３００のモニタ部３１０は各モニタ電流信号をモニタデータＤ１２、Ｄ２１、Ｄ２２、およびＤ３１に変換して制御データ生成部３２０に供給する。制御データ生成部３２０は、各モニタ電流信号の電流値が等しくなるように電流制御データＣＴＬ１〜ＣＴＬ３を生成して駆動モジュールＤＲ１〜ＤＲ３に供給する。【選択図】      図７
2005338157.tif 000002
【特許請求の範囲】
【請求項１】
駆動対象に電流信号を各々供給する複数の電流出力回路と、
モニタ電流信号を出力する一または複数のモニタ用電流出力回路と、
前記複数の電流出力回路、および前記一または複数のモニタ用電流出力回路のゲインを一括して調整する電流調整回路と、
を備えた電流供給回路。
【請求項２】
前記電流調整回路は、調整した基準電圧を前記複数の電流出力回路、および前記一または複数のモニタ用電流出力回路に供給し、
前記電流出力回路および前記モニタ用電流出力回路は、
前記基準電圧に基づいた電流を各々出力する複数の電流源と、
入力データに基づいて前記複数の電流源から出力される各電流を選択し、選択した電流を合成して前記電流信号として出力する選択出力手段とを備える
ことを特徴とする請求項１に記載の電流供給回路。
【請求項３】
駆動対象に電流信号を各々供給する複数の電流出力回路と、
前記複数の電流出力回路の一部または全部から出力される前記電流信号を、前記駆動対象に供給するかモニタ電流信号として出力するかを選択する選択手段と、
前記複数の電流出力回路のゲインを一括して調整する電流調整回路と、
を備えた電流供給回路。
【請求項４】
前記電流調整回路は、調整した基準電圧を前記複数の電流出力回路に供給し、
前記電流出力回路は、
前記基準電圧に基づいた電流を各々出力する複数の電流源と、
入力データに基づいて前記複数の電流源から出力される各電流を選択し、選択した電流を合成して前記電流信号として出力する選択出力手段とを備える
ことを特徴とする請求項３に記載の電流供給回路。
【請求項５】
前記モニタ電流信号の信号レベルを可変して外部に出力する可変手段を備えたことを特徴とする請求項１乃至４のうちいずれか１項に記載の電流供給回路。
【請求項６】
請求項１乃至５のうちいずれか１項に記載の電流供給回路を複数備え、
複数の前記電流供給回路から出力される複数の前記モニタ電流信号に基づいて、前記複数のモニタ電流信号の値が相互に近づくように複数の前記電流供給回路の前記電流調整回路を制御する制御手段を具備する電流供給装置。
【請求項７】
前記制御手段は、前記複数のモニタ電流信号の各々をデジタル信号に変換してモニタデータとして出力する複数の変換手段を備え、前記複数の変換手段から出力される各モニタデータに基づいて、前記複数のモニタ電流信号の値が相互に近づくように複数の前記電流供給回路の前記電流調整回路を制御することを特徴とする請求項６に記載の電流供給装置。
【請求項８】
前記制御手段は、
前記複数のモニタ電流信号を順次選択して出力する選択手段と、
前記選択手段から出力される前記モニタ電流信号をデジタル信号に変換してモニタデータとして出力する変換手段とを備え、
前記変換手段から出力される前記モニタデータに基づいて、前記複数のモニタ電流信号の値が相互に近づくように複数の前記電流供給回路の前記電流調整回路を制御する
ことを特徴とする請求項６に記載の電流供給装置。
【請求項９】
前記制御手段は、
前記複数の電流供給回路の中から一つの電流供給回路を特定し、特定した電流供給回路について、当該電流供給回路に対応するモニタデータの値が予め定められた設定値に近づくように当該電流供給回路の電流調整回路を制御する第１処理を実行し、
前回の制御対象となった電流供給回路に隣接する電流供給回路について、当該電流供給回路に対応するモニタデータの値が前回の制御対象となった電流供給回路に対応するモニタデータの値に近づくように隣接する電流供給回路の電流調整回路を制御する第２処理を繰り返し実行して、総ての電流供給回路から出力される前記モニタ電流信号の値が相互に近づくように制御する
ことを特徴とする請求項６乃至８のうちいずれか１項に記載の電流供給装置。
【請求項１０】
前記制御手段は、前記複数の電流供給回路に対応する各モニタデータの値が予め定められた設定値に近づくように前記複数の電流供給回路の電流調整回路を各々制御することを特徴とする請求項６乃至８のうちいずれか１項に記載の電流供給装置。
【請求項１１】
駆動対象に電圧信号を各々供給する複数の電圧出力回路と、
モニタ電圧信号を出力する一または複数のモニタ用電圧出力回路と、
前記複数の電圧出力回路、および前記一または複数のモニタ用電圧出力回路のゲインを一括して調整する電圧調整回路と、
を備えた電圧供給回路。
【請求項１２】
駆動対象に電圧信号を各々供給する複数の電圧出力回路と、
前記複数の電圧出力回路の一部または全部から出力される前記電圧信号を、前記駆動対象に供給するかモニタ電圧信号として出力するかを選択する選択手段と、
前記複数の電圧出力回路のゲインを一括して調整する電圧調整回路と、
を備えた電圧供給回路。
【請求項１３】
前記モニタ電圧信号の信号レベルを可変して外部に出力する可変手段を備えたことを特徴とする請求項１１または１２に記載の電圧供給回路。
【請求項１４】
請求項１１乃至１３に記載の電圧供給回路を複数備え、
複数の前記電圧供給回路から出力される複数の前記モニタ電圧信号に基づいて、前記複数のモニタ電圧信号の値が相互に近づくように複数の前記電圧供給回路の前記電圧調整回路を制御する制御手段を具備する電圧供給装置。
【請求項１５】
前記制御手段は、前記複数のモニタ電圧信号の各々をデジタル信号に変換してモニタデータとして出力する複数の変換手段を備え、前記複数の変換手段から出力される各モニタデータに基づいて、前記複数のモニタ電圧信号の値が相互に近づくように複数の前記電圧供給回路の前記電圧調整回路を制御することを特徴とする請求項１４に記載の電圧供給装置。
【請求項１６】
前記制御手段は、
前記複数のモニタ電圧信号を順次選択して出力する選択手段と、
前記選択手段から出力される前記モニタ電圧信号をデジタル信号に変換してモニタデータとして出力する変換手段とを備え、
前記変換手段から出力される前記モニタデータに基づいて、前記複数のモニタ電流信号の値が相互に近づくように複数の前記電流供給回路の前記電流調整回路を制御する
ことを特徴とする請求項１４に記載の電圧供給装置。
【請求項１７】
前記制御手段は、
前記複数の電圧供給回路の中から一つの電圧供給回路を特定し、特定した電圧供給回路について、当該電圧供給回路に対応するモニタデータの値が予め定められた設定値に近づくように当該電圧供給回路の電圧調整回路を制御する第１処理を実行し、
前回の制御対象となった電圧供給回路に隣接する電圧供給回路について、当該電圧供給回路に対応するモニタデータの値が前回の制御対象となった電圧供給回路に対応するモニタデータの値に近づくように隣接する電圧供給回路の電圧調整回路を制御する第２処理を繰り返し実行して、総ての電圧供給回路から出力される前記モニタ電圧信号の値が相互に近づくように制御する
ことを特徴とする請求項１４乃至１６のうちいずれか１項に記載の電圧供給装置。
【請求項１８】
前記制御手段は、前記複数の電圧供給回路に対応する各モニタデータの値が予め定められた設定値に近づくように前記複数の電圧供給回路の電圧調整回路を各々制御することを特徴とする請求項１４乃至１６のうちいずれか１項に記載の電圧供給装置。
【請求項１９】
複数の走査線と、
複数のデータ線と、
前記走査線と前記データ線の交差に対応して各々設けられ、各々が電気光学素子と前記データ線から供給される駆動信号に基づいて前記電気光学素子を駆動する回路とを含む複数の画素回路と、
請求項６乃至１０のうちいずれか１項に記載の電流供給装置とを備え、
前記複数の電流供給回路は、前記複数のデータ線と各々接続され、
前記入力データは画像データである
ことを特徴とする電気光学装置。
【請求項２０】
複数の走査線と、
複数のデータ線と、
前記走査線と前記データ線の交差に対応して各々設けられ、各々が電気光学素子と前記データ線から供給される駆動信号に基づいて前記電気光学素子を駆動する回路とを含む複数の画素回路と、
請求項１４乃至１８のうちいずれか１項に記載の電圧供給装置とを備え、
前記複数の電圧供給回路は、前記複数のデータ線と各々接続され、
前記入力データは画像データである
ことを特徴とする電気光学装置。
【請求項２１】
請求項１９または２０に記載の電気光学装置を備えた電子機器。
【発明の詳細な説明】
【技術分野】
【０００１】
本発明は、電流供給回路、電流供給装置、電圧供給回路、電圧供給装置、電気光学装置、及び電子機器に関する。
【背景技術】
【０００２】
液晶表示装置に替わる電気光学装置として、有機発光ダイオード素子（以下、ＯＬＥＤ素子と称する。）を備えた装置が注目されている。ＯＬＥＤ（Organic Light Emitting Diode）素子は、電気的にはダイオードのように動作し、光学的には、順バイアス時に発光して順バイアス電流の増加にともなって発光輝度が増加する。
【０００３】
ＯＬＥＤ素子をマトリクス状に配列した電気光学装置は、複数の走査線と複数のデータ線を備え、走査線とデータ線の交差に対応して画素回路が各々設けられている。各画素回路は、各ＯＬＥＤ素子に電流を供給するＴＦＴ（Thin Film Transistor：薄膜トランジスタ）を有する。データ線には表示階調に応じた階調信号がデータ線駆動回路から供給される。ここで、データ線駆動回路を複数の駆動モジュールから構成することがある。
【０００４】
このような電気光学装置では、駆動モジュール間のトランジスタ特性の相違等に起因してＯＬＥＤ素子に流れる電流がばらつくため、ディスプレイを均一の輝度で発光させることが困難である。駆動モジュール間のばらつきを改善する技術として、基準電流を発生する回路を設け、この基準電流を複数の駆動モジュール間で共通に用いるものが知られている（例えば、特許文献１）。
また、駆動対象たるデータ線に電流を供給するＤＡ変換器とは別にダミーのＤＡ変換器を設け、ダミーのＤＡ変換器から出力される電流を、複数の駆動モジュール間で共通の基準電流として用いる技術も知られている（例えば、特許文献２）。
さらに、駆動モジュールの境界部分では、隣接する２つのＤＡ変換器からの出力電流を足し合わせて駆動する技術も知られている（例えば、特許文献３）。
【０００５】
【特許文献１】特開２００２−２０２８２３号公報
【特許文献２】特開２００３−２８８０４５号公報
【特許文献３】特開２００１−４２８２１号公報
【発明の開示】
【発明が解決しようとする課題】
【０００６】
ところで、基準電流を複数の駆動モジュール間で共通化する従来の技術では、複数の駆動モジュール間で基準電流を引き回す必要がある。そして、各駆動モジュールではカレントミラー回路を用いて供給された基準電流を所定の比率で定倍して使用する。このため、引き回される基準電流は微小であることが多い。
しかしながら、微小な基準電流を複数の駆動モジュール間で引き回すと、配線に重畳するノイズの影響を受けてＤＡ変換の精度が低下する。また、カレントミラー回路を用いると、引き回すうちに基準電流の値がずれることがある。また、駆動モジュールの境界部分で出力電流を足し合わせるだけでは、境界部分でしか輝度の均一化を実現することができない。
【０００７】
本発明は上述した問題に鑑みてなされたものであり、複数の駆動モジュール間の輝度の差を近づけることができる電流供給回路、電流供給装置、電圧供給回路、電圧供給装置、電気光学装置、及び電子機器を提供することを解決課題とする。
【課題を解決するための手段】
【０００８】
上述した課題を解決するため、本発明に係る電流供給回路は、駆動対象に電流信号を各々供給する複数の電流出力回路と、モニタ電流信号を出力する一または複数のモニタ用電流出力回路と、前記複数の電流出力回路、および前記一または複数のモニタ用電流出力回路のゲインを一括して調整する電流調整回路と、を備える。この発明によれば、モニタ用電流出力回路と電流出力回路とは一括してゲインが調整されるので、モニタ用電流信号に基づいて電流調整回路を制御すれば、電流出力回路の特性を考慮して駆動対象に供給する電流信号を調整することが可能となる。ここで、モニタ用電流出力回路は、必ずしも電流出力回路と同一である必要はないが、同じ性能のトランジスタを用いて構成されることが好ましい。これにより、モニタ電流信号によって電流出力回路の特性を推定して、電流出力信号を調整することが可能となる。また、電流供給回路は、１個の駆動モジュールとして構成されてもよい。
【０００９】
ここで、前記電流調整回路は、調整した基準電圧を前記複数の電流出力回路、および前記一または複数のモニタ用電流出力回路に供給し、前記電流出力回路および前記モニタ用電流出力回路は、前記基準電圧に基づいた電流を各々出力する複数の電流源と、入力データに基づいて前記複数の電流源から出力される各電流を選択し、選択した電流を合成して前記電流信号として出力する選択出力手段とを備えることが好ましい。この場合には、電流源に流れる電流値が基準電圧を可変することによって調整される。なお、基準電圧は、例えば、制御データに応じた値となるように基準電流を生成する基準電流生成手段と、基準電流を基準電圧に変換する基準電圧生成手段とによって生成されてもよい。
【００１０】
また、本発明に係る他の電流供給回路は、駆動対象に電流信号を各々供給する複数の電流出力回路と、前記複数の電流出力回路の一部または全部から出力される前記電流信号を、前記駆動対象に供給するかモニタ電流信号として出力するかを選択する選択手段と、前記複数の電流出力回路のゲインを一括して調整する電流調整回路と、を備える。この発明によれば、モニタ電流信号を生成するためのモニタ電流出力回路を不要にできるので、構成を簡易なものにすることができる。さらに、電流出力回路の出力そのものをモニタ電流信号として出力するから、精度の良いモニタが可能となる。
【００１１】
他の電流供給回路において、前記電流調整回路は、調整した基準電圧を前記複数の電流出力回路に供給し、前記電流出力回路は、前記基準電圧に基づいた電流を各々出力する複数の電流源と、入力データに基づいて前記複数の電流源から出力される各電流を選択し、選択した電流を合成して前記電流信号として出力する選択出力手段とを備えることが好ましい。この場合には、電流源に流れる電流値が基準電圧を可変することによって調整される。
【００１２】
また、これらの電流供給回路は、前記モニタ電流信号の信号レベルを可変して外部に出力する可変手段を備えることが好ましい。モニタ電流信号の信号レベルを大きくした場合には、ノイズに対して強くなり、また、モニタ電流信号をＡＤ変換する場合の精度を向上させることが可能となる。一方、モニタ電流信号の信号レベルを小さくした場合には、ノイズや電源変動等の他の要素に与える影響を軽減することができ、さらに、消費電力を削減することが可能となる。このような可変手段は、例えば、前記モニタ電流信号を基準電流とするカレントミラー回路を備え、前記モニタ電流信号の信号レベルを所定の倍率で変換して外部に出力するものであってもよいし、あるいは、複数の前記モニタ電流信号を加算して外部に出力するものであってもよい。
次に、本発明に係る電流供給装置は、上述した電流供給回路を複数備え、複数の前記電流供給回路から出力される複数の前記モニタ電流信号に基づいて、前記複数のモニタ電流信号の値が相互に近づくように複数の前記電流供給回路の前記電流調整回路を制御する制御手段を具備することを特徴とする。この発明によれば、複数のモニタ電流信号を制御手段にフィードバックすることによって、複数の電流供給回路における特性の相違を補正することが可能となる。
【００１３】
また、前記制御手段は、前記複数のモニタ電流信号の各々をデジタル信号に変換してモニタデータとして出力する複数の変換手段を備え、前記複数の変換手段から出力される各モニタデータに基づいて、前記複数のモニタ電流信号の値が相互に近づくように複数の前記電流供給回路の前記電流調整回路を制御することが好ましい。この場合、制御手段はモニタ電流信号をモニタデータとして取り扱うことができるので、演算処理等が可能となる。
【００１４】
また、前記制御手段は、前記複数のモニタ電流信号を順次選択して出力する選択手段と、前記選択手段から出力される前記モニタ電流信号をデジタル信号に変換してモニタデータとして出力する変換手段とを備え、前記変換手段から出力される前記モニタデータに基づいて、前記複数のモニタ電流信号の値が相互に近づくように複数の前記電流供給回路の前記電流調整回路を制御することが好ましい。この発明によれば、選択手段は複数のモニタ電流信号を順次選択して出力するので、変換手段を時分割で用いることができる。この結果、変換手段の数を減らすことができる。ここで、変換手段は、例えば、前記モニタ電流信号を電圧に変換してモニタ電圧信号として出力する電流電圧変換手段と、前記モニタ電圧信号をデジタル信号に変換してモニタデータとして出力するＡＤ変喚手段とを備えるものであってもよい。
【００１５】
また、前記制御手段は、前記複数の電流供給回路の中から一つの電流供給回路を特定し、特定した電流供給回路について、当該電流供給回路に対応するモニタデータの値が予め定められた設定値に近づくように当該電流供給回路の電流調整回路を制御する第１処理を実行し、前回の制御対象となった電流供給回路に隣接する電流供給回路について、当該電流供給回路に対応するモニタデータの値が前回の制御対象となった電流供給回路に対応するモニタデータの値に近づくように隣接する電流供給回路の電流調整回路を制御する第２処理を繰り返し実行して、総ての電流供給回路から出力される前記モニタ電流信号の値が相互に近づくように制御することが好ましい。この発明によれば、ある電流供給回路の特性を設定し、隣接する電流供給回路の特性を合わせ込むので、隣り合う電流供給回路の間の特性を近づけることができる。
【００１６】
また、前記制御手段は、前記複数の電流供給回路に対応する各モニタデータの値が予め定められた設定値に近づくように前記複数の電流供給回路の電流調整回路を各々制御するものであってもよい。この発明によれば、総ての電流供給回路の特性が一つの設定値に合わせられ、これにより特性差が改善される。
【００１７】
次に、本発明に係る電圧供給回路は、駆動対象に電圧信号を各々供給する複数の電圧出力回路と、モニタ電圧信号を出力する一または複数のモニタ用電圧出力回路と、前記複数の電圧出力回路、および前記一または複数のモニタ用電圧出力回路のゲインを一括して調整する電圧調整回路と、を備える。この発明によれば、モニタ用電圧出力回路と電圧出力回路は一括してゲインが調整されるので、モニタ用電圧信号に基づいて電圧調整回路を制御すれば、電圧出力回路の特性を考慮して駆動対象に供給する電圧信号を調整することが可能となる。ここで、モニタ用電圧出力回路は、必ずしも電圧出力回路と同一である必要はないが、同じ性能のトランジスタを用いて構成されることが好ましい。これにより、モニタ電圧信号によって電圧出力回路の特性を推定して、電圧出力信号を調整することが可能となる。また、電圧供給回路は、１個の駆動モジュールとして構成されてもよい。
【００１８】
また、本発明に係る他の電圧供給回路は、駆動対象に電圧信号を各々供給する複数の電圧出力回路と、前記複数の電圧出力回路の一部または全部から出力される前記電圧信号を、前記駆動対象に供給するかモニタ電圧信号として出力するかを選択する選択手段と、前記複数の電圧出力回路のゲインを一括して調整する電圧調整回路と、を備える。この発明によれば、モニタ電圧信号を生成するためのモニタ電圧出力回路を不要にできるので、構成を簡易なものにすることができる。さらに、電圧出力回路の出力そのものをモニタ電圧信号として出力するから、精度の良いモニタが可能となる。
【００１９】
これらの電圧供給回路は、前記モニタ電圧信号の信号レベルを可変して外部に出力する可変手段を備えることが好ましい。モニタ電圧信号の信号レベルを大きくした場合には、ノイズに対して強くなり、また、モニタ電圧信号をＡＤ変換する場合の精度を向上させることが可能となる。一方、モニタ電圧信号の信号レベルを小さくした場合には、ノイズや電源変動等の他の要素に与える影響を軽減することができ、さらに、消費電力を削減することが可能となる。
【００２０】
次に、本発明に係る電圧供給装置は、上述した電圧供給回路を複数備え、複数の前記電圧供給回路から出力される複数の前記モニタ電圧信号に基づいて、前記複数のモニタ電圧信号の値が相互に近づくように複数の前記電圧供給回路の前記電圧調整回路を制御する制御手段を具備する。この発明によれば、複数のモニタ電圧信号を制御手段にフィードバックすることによって、複数の電圧供給回路における特性の相違を補正することが可能となる。
【００２１】
また、前記制御手段は、前記複数のモニタ電圧信号の各々をデジタル信号に変換してモニタデータとして出力する複数の変換手段を備え、前記複数の変換手段から出力される各モニタデータに基づいて、前記複数のモニタ電圧信号の値が相互に近づくように複数の前記電圧供給回路の前記電圧調整回路を制御することことが好ましい。この場合、制御手段はモニタ電圧信号をモニタデータとして取り扱うことができるので、演算処理等が可能となる。
【００２２】
また、前記制御手段は、前記複数のモニタ電圧信号を順次選択して出力する選択手段と、前記選択手段から出力される前記モニタ電圧信号をデジタル信号に変換してモニタデータとして出力する変換手段とを備え、前記変換手段から出力される前記モニタデータに基づいて、前記複数のモニタ電流信号の値が相互に近づくように複数の前記電流供給回路の前記電流調整回路を制御することが好ましい。この発明によれば、選択手段は複数のモニタ電圧信号を順次選択して出力するので、変換手段を時分割で用いることができる。この結果、変換手段の数を減らすことができる。
【００２３】
また、前記制御手段は、前記複数の電圧供給回路の中から一つの電圧供給回路を特定し、特定した電圧供給回路について、当該電圧供給回路に対応するモニタデータの値が予め定められた設定値に近づくように当該電圧供給回路の電圧調整回路を制御する第１処理を実行し、前回の制御対象となった電圧供給回路に隣接する電圧供給回路について、当該電圧供給回路に対応するモニタデータの値が前回の制御対象となった電圧供給回路に対応するモニタデータの値に近づくように隣接する電圧供給回路の電圧調整回路を制御する第２処理を繰り返し実行して、総ての電圧供給回路から出力される前記モニタ電圧信号の値が相互に近づくように制御することが好ましい。この発明によれば、ある電圧供給回路の特性を設定し、隣接する電圧供給回路の特性を合わせ込むので、隣り合う電圧供給回路の間の特性を近づけることができる。
【００２４】
また、前記制御手段は、前記複数の電圧供給回路に対応する各モニタデータの値が予め定められた設定値に近づくように前記複数の電圧供給回路の電圧調整回路を各々制御することが好ましい。この発明によれば、総ての電圧供給回路の特性が一つの設定値に合わせられ、これにより特性差が改善される。
【００２５】
次に、本発明に係る電気光学装置は、複数の走査線と、複数のデータ線と、前記走査線と前記データ線の交差に対応して各々設けられ、各々が電気光学素子と前記データ線から供給される駆動信号に基づいて前記電気光学素子を駆動する回路とを含む複数の画素回路と、上述した電流供給装置とを備え、前記複数の電流供給回路は、前記複数のデータ線と各々接続され、前記入力データは画像データであることを特徴とする。この発明によれば、複数のデータ線に駆動信号として電流信号を供給する場合に複数の電流供給回路を用いる。そして、モニタ電流信号に基づいて、電流供給回路の間の特性が近づくように調整されるので、画面全体の輝度を均一にすることができる。
【００２６】
次に、本発明に係る他の電気光学装置は、複数の走査線と、複数のデータ線と、前記走査線と前記データ線の交差に対応して各々設けられ、各々が電気光学素子と前記データ線から供給される駆動信号に基づいて前記電気光学素子を駆動する回路とを含む複数の画素回路と、上述した電圧供給装置とを備え、前記複数の電圧供給回路は、前記複数のデータ線と各々接続され、前記入力データは画像データであることを特徴とする。この発明によれば、複数のデータ線に駆動信号として電圧信号を供給する場合に複数の電圧供給回路を用いる。そして、モニタ電圧信号に基づいて、電圧供給回路の間の特性が近づくように調整されるので、画面全体の輝度を均一にすることができる。
【００２７】
次に、本発明に係る電子機器は、上述した電気光学装置を備えたことを特徴とし、例えば、パーソナルコンピュータ、携帯電話、個人情報端末、電子スチルカメラ等が該当する。
【発明を実施するための最良の形態】
【００２８】
＜１．第１実施形態＞
図１は、本発明の第１実施形態に係る電気光学装置１の概略構成を示すブロック図である。電気光学装置１は、画素領域Ａ、走査線駆動回路１００、データ線駆動回路２００、制御回路３００、画像処理回路５００及び電源回路６００を備える。このうち、画素領域Ａには、Ｘ方向と平行に２４０本の走査線１０１及び２４０本の発光制御線１０２が形成される。また、Ｘ方向と直交するＹ方向と平行に３６０本のデータ線１０３が形成される。そして、走査線１０１とデータ線１０３との各交差に対応して画素回路４００Ａが各々設けられている。画素回路４００ＡはＯＬＥＤ素子を含む。また、各画素回路４００Ａには、電源電圧Ｖｄｄが図示せぬ電源線を介して供給される。この例では、２４０（Ｙ）×３６０（Ｘ）の画素を想定したが、その数は任意である。
【００２９】
走査線駆動回路１００は、複数の走査線１０１を順次選択するための走査信号Ｙ１、Ｙ２、Ｙ３、…、Ｙ２４０を生成すると共に発光制御信号Ｖｇ１、Ｖｇ２、Ｖｇ３、…、Ｖｇ２４０を生成する。走査信号Ｙ１〜Ｙ２４０及び発光制御信号Ｖｇ１〜Ｖｇ２４０はＹ転送開始パルスＤＹをＹクロック信号ＹＣＬＫに同期して順次転送することにより生成される。発光制御信号Ｖｇ１、Ｖｇ２、Ｖｇ３、…、Ｖｇ２４０は、各発光制御線１０２を介して各画素回路４００Ａに各々供給される。図２に走査信号Ｙ１〜Ｙ２４０と発光制御信号Ｖｇ１〜Ｖｇ２４０のタイミングチャートの一例を示す。走査信号Ｙ１は、１垂直走査期間（１Ｆ）の最初のタイミングから、１水平走査期間（１Ｈ）に相当する幅のパルスであって、１行目の走査線１０１に供給される。以降、このパルスを順次シフトして、２、３、…、２４０行目の走査線１０１の各々に走査信号Ｙ２、Ｙ３、…、Ｙ２４０として供給する。一般的にｉ（ｉは、１≦ｉ≦２４０を満たす整数）行目の走査線１０１に供給される走査信号ＹｉがＨレベルになると、当該走査線１０１が選択されたことを示す。また、発光制御信号Ｖｇ１、Ｖｇ２、Ｖｇ３、…、Ｖｇ２４０としては、例えば、走査信号Ｙ１、Ｙ２、Ｙ３、…、Ｙ２４０の論理レベルを反転した信号を用いる。
【００３０】
データ線駆動回路２００は、出力階調データＤｏｕｔに基づいて、選択された走査線１０１に位置する画素回路４００Ａの各々に対し階調信号Ｘ１、Ｘ２、Ｘ３、…、Ｘｎを供給する。この例において、階調信号Ｘ１〜Ｘｎは階調輝度を指示する電流信号として与えられる。この例では、データ線駆動回路２００は３個の駆動モジュールＤＲ１〜ＤＲ３を備える。駆動モジュールＤＲ１は左から数えて第１番目から第１２０番目のデータ線１０３に対応しており、駆動モジュールＤＲ２は第１２１番目から第２４０番目のデータ線１０３に対応しており、駆動モジュールＤＲ３は第２４１番目から第３６０番目のデータ線１０３に対応している。なお、駆動モジュールＤＲ１〜ＤＲ３の詳細については後述するが、電流制御データＣＴＬ１〜ＣＴＬ３に基づいて電流変換ゲインを調整する機能を有する。
【００３１】
制御回路３００は、Ｙクロック信号ＹＣＬＫ、Ｘクロック信号ＸＣＬＫ、Ｘ転送開始パルスＤＸ、Ｙ転送開始パルスＤＹ等の各種の制御信号を生成してこれらを走査線駆動回路１００及びデータ線駆動回路２００へ出力する。また、制御回路３００は、所定の階調データを供給した場合に、駆動モジュールＤＲ１〜ＤＲ３より出力される電流をモニタするモニタ部３１０と、電流制御データＣＴＬ１〜ＣＴＬ３を生成する制御データ生成部３２０を備える。
画像処理回路５００は、外部から供給される入力階調データＤｉｎにガンマ補正等の画像処理を施して出力階調データＤｏｕｔを生成し、これをフレームメモリに記憶し、所定のタイミングでデータ線駆動回路２００に出力する。なお、この例の出力階調データＤｏｕｔは６ビットの信号である。
【００３２】
次に、画素回路４００Ａについて説明する。図３に、画素回路４００Ａの回路図を示す。同図に示す画素回路４００Ａは、ｉ行目の対応するものであり、電源電圧Ｖｄｄが供給される。画素回路４００Ａは、４個のＴＦＴ４０１〜４０４と、容量素子４１０と、ＯＬＥＤ素子４２０とを備える。ＴＦＴ４０１〜４０４の製造プロセスでは、レーザーアニールショットを利用してガラス基板の上にポリシリコン層が形成される。また、ＯＬＥＤ素子４２０は、陽極と陰極との間に発光層が挟持されている。そして、ＯＬＥＤ素子４２０は、順方向電流に応じた輝度で発光する。発光層には、発光色に応じた有機ＥＬ（Electronic Luminescence）材料が用いられる。発光層の製造プロセスでは、インクジェット方式のヘッドから有機ＥＬ材料を液滴として吐出し、これを乾燥させている。
【００３３】
駆動トランジスタであるＴＦＴ４０１はｐチャネル型、スイッチングトランジスタであるＴＦＴ４０２〜４０４はｎチャネル型である。ＴＦＴ４０１のソース電極は電源線Ｌに接続される一方、そのドレイン電極はＴＦＴ４０３のドレイン電極、ＴＦＴ４０４のドレイン電極及びＴＦＴ４０２のソース電極にそれぞれ接続される。
【００３４】
容量素子４１０の一端はＴＦＴ４０１のソース電極に接続される一方、その他端は、ＴＦＴ４０１のゲート電極及びＴＦＴ４０２のドレイン電極にそれぞれ接続される。ＴＦＴ４０３のゲート電極は走査線１０１に接続され、そのソース電極は、データ線１０３に接続される。また、ＴＦＴ４０２のゲート電極は走査線１０１に接続される。一方、ＴＦＴ４０４のゲート電極は発光制御線１０２に接続され、そのソース電極はＯＬＥＤ素子４２０の陽極に接続される。ＴＦＴ４０４のゲート電極には、発光制御線１０２を介して発光制御信号Ｖｇｉが供給される。なお、ＯＬＥＤ素子４２０の陰極は、画素回路４００Ａのすべてにわたって共通の電極であり、電源における低位（基準）電位となっている。
【００３５】
このような構成において、走査信号ＹｉがＨレベルになると、ｎチャネル型ＴＦＴ４０２がオン状態となるので、ＴＦＴ４０１は、ゲート電極とドレイン電極とが互いに接続されたダイオードとして機能する。走査信号ＹｉがＨレベルになると、ｎチャネル型ＴＦＴ４０３も、ＴＦＴ４０２と同様にオン状態となる。この結果、データ線駆動回路２００の電流Ｉdataが、電源線Ｌ→ＴＦＴ４０１→ＴＦＴ４０３→データ線１０３という経路で流れるとともに、そのときに、ＴＦＴ４０１のゲート電極の電位に応じた電荷が容量素子４１０に蓄積される。
【００３６】
走査信号ＹｉがＬレベルになると、ＴＦＴ４０３、４０２はともにオフ状態となる。このとき、ＴＦＴ４０１のゲート電極における入力インピーダンスは極めて高いので、容量素子４１０における電荷の蓄積状態は変化しない。ＴＦＴ４０１のゲート・ソース間電圧は、電流Ｉdataが流れたときの電圧に保持される。また、走査信号ＹｉがＬレベルになると、発光制御信号ＶｇｉがＨレベルとなる。このため、ＴＦＴ４０４がオンし、ＴＦＴ４０１のソース・ドレイン間には、そのゲート電圧に応じた注入電流Ｉoledが流れる。詳細には、この電流は、電源線Ｌ→ＴＦＴ４０１→ＴＦＴ４０４→ＯＬＥＤ素子４２０という経路で流れる。
【００３７】
ここで、ＯＬＥＤ素子４２０に流れる注入電流Ｉoledは、ＴＦＴ４０１のゲート・ソース間電圧で定まるが、その電圧は、Ｈレベルの走査信号Ｙｉによって電流Ｉdataがデータ線１０３に流れたときに、容量素子４１０によって保持された電圧である。このため、発光制御信号ＶｇｉがＨレベルになったときに、ＯＬＥＤ素子４２０に流れる注入電流Ｉoledは、直前に流れた電流Ｉdataに略一致する。このように画素回路４００Ａは、電流Ｉdataによって発光輝度を規定することから、電流プログラム方式の回路である。
【００３８】
図４は、データ線駆動回路２００に用いる駆動モジュールＤＲ１の詳細な構成を示すブロック図である。なお、駆動モジュールＤＲ２およびＤＲ３は、駆動モジュールＤＲ１と同様に構成されているので、説明を省略する。駆動モジュールＤＲ１は、電流調整部２１０、出力部２２０、およびシリアルパラレル変換回路２３０を備える。シリアルパラレル変換回路２３０は、シフトレジスタ及びラッチ回路を備える。シフトレジスタは、Ｘ転送開始パルスＤＸをＸクロック信号ＸＣＬＫに同期して順次転送して、点順次のラッチ信号を生成する。ラッチ回路はラッチ信号を用いて出力階調データＤｏｕｔをラッチする。これにより、シリアル形式の出力階調データＤｏｕｔがパラレル形式の階調データｄ１、ｄ２、…、ｄ１２０に変換される。
【００３９】
出力部２２０は、２個のモニタ電流出力回路２２１および１２０個の駆動電流出力回路２２２を有する。これらの電流出力回路はいずれも同一の構成であり、電流調整部２１０から供給される基準電圧Ｖｒｅｆによって、電流変換ゲインが一括して調整されるようになっている。１２０個の駆動電流出力回路２２２は、階調データｄ１〜ｄ１２０をＤＡ変換して階調信号Ｘ１〜Ｘ１２０を出力する。モニタ電流出力回路２２２は、１２０個の駆動電流出力回路２２２の右端と左端に隣接して設けられている。どちらのモニタ電流出力回路２２１にもテストデータＤｔｅｓｔが供給される。この例においては、テストデータＤｔｅｓｔの値を最大輝度に設定する。出力階調データＤｏｕｔは６ビットの信号であるので、テストデータＤｔｅｓｔは、６３階調を指示する。なお、テストデータＤｔｅｓｔは出力階調データＤｏｕｔの一部として外部より与えられてもよいし、あるいは、データ線駆動回路２００の内部で与えてもよい。
【００４０】
左端のモニタ電流出力回路２２１からはモニタ電流信号ＭＩ１１が出力される一方、右端のモニタ電流出力回路２２１からモニタ電流信号ＭＩ１２が出力される。実際の制御において、駆動モジュールＤＲ１のモニタ電流信号ＭＩ１１は使用されない。以下の説明においては、駆動モジュールＤＲ２の左端および右端のモニタ電流出力回路２２１から出力されるモニタ電流信号を各々「ＭＩ２１」、「ＭＩ２２」と表し、駆動モジュールＤＲ３の左端および右端のモニタ電流出力回路２２１から出力されるモニタ電流信号を各々「ＭＩ３１」、「ＭＩ３２」と表す。なお、モニタ電流信号ＭＩ３２は実際の制御で使用されない。
【００４１】
図５は、電流調整部２１０の詳細な回路図である。電流調整部２１０の基準電流生成回路２１１において、トランジスタ７０１のゲートには電源電圧Ｖｄｄを抵抗７０２と抵抗７０３で分圧した電圧が供給される。トランジスタ７０１のゲート電圧によって、トランジスタ７０１に流れる電流が定まり、その電流によってトランジスタ７０４〜７０７のゲート電圧が定まる。従って、トランジスタ７０１のゲート電圧は、基準電流生成回路２１１によって生成される基準電流Ｉｒｅｆの基準となる。トランジスタ７０４〜７０７はカレントミラー回路を構成しており、トランジスタ７０４のサイズを１としたとき、トランジスタ７０５〜７０７のサイズは、１：２：４となるように選定されている。トランジスタ７０８〜７１０はスイッチング素子として動作し、３ビットの電流制御データＣＴＬ１によってオン・オフが制御される。従って、基準電流Ｉｒｅｆは、電流制御データＣＴＬ１によってその電流値が制御される。基準電圧生成回路２１２はトランジスタ７２０によって構成され、基準電流Ｉｒｅｆを基準電圧Ｖｒｅｆに変換して出力する。
【００４２】
図６に駆動電流出力回路２２２の詳細な回路図を示す。なお、上述したようにモニタ電流出力回路２２１は駆動電流出力回路２２２と同様に構成されている。駆動電流出力回路は電流源として機能する６個のトランジスタ７３１〜７３６と、スイッチング素子として機能する６個のトランジスタ７４１〜７４６を備える。トランジスタ７３１〜７３６のトランジスタサイズは１：２：４：８：１６：３２となるように選定されている。このような構成において６ビットの階調データｄ１が供給されると、各ビットに対応するトランジスタ７４１〜７４６のオン・オフが制御される。この結果、階調データｄ１の階調値に応じた電流が階調信号Ｘ１としてデータ線１０３に供給される。ここで、各トランジスタ７３１〜７３６に流れる電流値は、基準電圧Ｖｒｅｆによって決定される。従って、上述した電流制御データＣＴＬ１によって、電流変換ゲインが調整される。
【００４３】
図７に、制御回路３００とその周辺構成を示す。図７に示すように制御回路３００のモニタ部３１０は、４個の変換ユニットＵ１〜Ｕ４を備える。変換ユニットＵ１は、電流を電圧に変換するＩ／Ｖ変換回路３１１と電圧信号をデジタル信号に変換するＡＤ変換器３１２とを備える。なお、変換ユニットＵ２〜Ｕ３は、変換ユニットＵ１と同様に構成されている。変換ユニットＵ１は駆動モジュールＤＲ１から出力されるモニタ電流信号ＭＩ１２をデジタル信号に変換してモニタデータＤ１２として出力する。変換ユニットＵ２およびＵ３は、駆動モジュールＤＲ２から主力されるモニタ電流信号ＭＩ２１およびＭＩ２２をデジタル信号に各々変換してモニタデータＤ２１およびＤ２２として出力する。変換ユニットＵ４は駆動モジュールＤＲ３から出力されるモニタ電流信号ＭＩ３１をデジタル信号に変換してモニタデータＤ３１として出力する。すなわち、各駆動モジュールＤＲ１〜ＤＲ３の電流変換特性が制御データ生成部３２０にフィードバックされる。
【００４４】
制御データ生成部３２０は、モニタデータＤ１２、Ｄ２１、Ｄ２２、およびＤ３１に基づいて、モニタ電流信号ＭＩ１２、ＭＩ２１、ＭＩ２２、ＭＩ３１の値が相互に近づくように各駆動モジュールＤＲ１〜ＤＲ３の電流調整部２１０を制御する。具体的には、電流制御データＣＴＬ１、ＣＴＬ２、およびＣＴＬ３を生成する。
【００４５】
図８に電流制御データの生成処理の内容を示す。まず、電気光学装置１の全体、走査線駆動回路１００に電源を投入しない状態で、データ線駆動回路２００、制御回路３００、および画像処理回路５００等の周辺回路に電源を投入する（ステップＳ１）。
次に、駆動モジュールＤＲ１に供給するテストデータＤｔｅｓｔの値を最大輝度（この例では、６３階調）になるように設定する（ステップＳ２）。この後、駆動モジュールＤＲ１からのモニタデータＤ１２が目標値に最も近づくように電流制御データＣＴＬ１を設定する（ステップＳ３）。ここで、目標値は、パネルが表示すべき最大輝度およびＯＬＥＤ素子４２０の効率等を考慮して、所定の輝度を得るのに必要な電流値として予め定められている。但し、電流制御データＣＴＬ１は３ビットのデジタル信号であるため、最小ステップの誤差を含む。ステップＳ３の処理では、誤差が最も少なくなるように電流制御データＣＴＬ１の値が決定される。
【００４６】
次に、駆動モジュールＤＲ２に供給するテストデータＤｔｅｓｔの値を最大輝度、即ち、駆動モジュールＤＲ１と同一となるように設定する（ステップＳ４）。このとき、駆動モジュールＤＲ２からのモニタデータＤ２１が駆動モジュールＤＲ１からのモニタデータＤ１２と一致するように電流制御データＣＴＬ２を設定する（ステップＳ５）。さらに、駆動モジュールＤＲ３に供給するテストデータＤｔｅｓｔの値を最大輝度となるように設定し（ステップＳ６）、駆動モジュールＤＲ３からのモニタデータＤ３１が駆動モジュールＤＲ２からのモニタデータＤ２２と一致するように電流制御データＣＴＬ２を設定する（ステップＳ７）。このようにして、生成された電流制御データＣＴＬ１〜ＣＴＬ３は、制御データ生成部３２０の不揮発性メモリに記憶され、通常動作時に読み出されて各駆動モジュールＤＲ１〜ＤＲ３に供給される。
【００４７】
このように本実施形態では、複数の駆動モジュールＤＲ１〜ＤＲ３のうち一つに着目し、そのモジュールの特性が目標値と一致するように電流変換ゲインを調整し、このモジュールと隣接するモジュールの電流出力特性が一致するように隣接するモジュールの電流変換ゲインを調整し、これを繰り返した。これにより、複数の駆動モジュールＤＲ１、ＤＲ２およびＤＲ３を構成するトランジスタの特性がばらついたとしても、電流出力特性の差がなくなるように電流変換ゲインを調整することができる。この結果、駆動モジュールＤＲ１、ＤＲ２およびＤＲ３の間で輝度のばらつきがなくなり、均一な画像を表示させることが可能となる。
【００４８】
＜２．第１実施形態の変形例＞
上述した第１実施形態は以下の変形が可能である。
（１）上述した第１実施形態においては、駆動モジュールＤＲ１〜ＤＲ３において、境界部分の電流を総てモニタしたが、各駆動モジュールＤＲ１〜ＤＲ３において、一箇所をモニタするようにしてもよい。この場合には、モニタ電流出力回路２２１および変換ユニットＵ１〜Ｕ４の個数を低減することができる。
【００４９】
（２）上述した出力部２２０は、駆動電流出力回路２２２とは別にモニタ電流出力回路２２１を設けたが、図９に示すように駆動電流出力回路２２２の後段に選択回路２２３を設け、モニタ電流信号として出力するか、階調信号として出力するかを切り替えるようにしてもよい。この場合には、個別にモニタ電流出力回路２２１を設ける必要がないので、出力部２２０の構成を簡易なものすることができる。
（３）上述した出力部２２０において、各モニタ電流出力回路２２１は個別にモニタ電流信号を出力したが、図１０に示すように複数のモニタ電流信号を合成して出力してもよい。特に、モニタ電流信号の電流値が小さい場合は信号のＳＮ比が問題となるが、複数のモニタ電流信号を合成することによってノイズマージンを向上するので、精度のよい計測が可能となる。
【００５０】
（４）本実施形態ではモニタ電流出力回路２２１と駆動電流出力回路２２２の回路構成を同一としたが、電流ゲインが異なるものであってもよい。例えば、モニタ電流出力回路２２１は、ＤＡ変換の基準電流を１：１でカレントミラーするものであってもよいし、基準電流を１０倍または１／１０倍にカレントミラーするものであってもよい。
【００５１】
（５）上述したモニタ電流出力回路２２１は、その電流値を調整可能にしてもよい。例えば、モニタ電流出力回路２２１が駆動電流出力回路２２２と同一構成である場合には、出力階調データＤｏｕｔの一部としてテストデータＤｔｅｓｔを供給し、駆動モジュールＤＲ１〜ＤＲ３の内部で出力階調データＤｏｕｔからテストデータＤｔｅｓｔを分離してもよい。一方、モニタ電流出力回路２２１が上述した変形例のようにカレントミラー機能を有する場合には、電流増幅率βの値を調整できるようにしてもよい。
【００５２】
（６）出力部２２０は、カレントミラー回路によって構成されたが、図１１に示すようにカレントミラー回路を用いないものであってもよい。図１１に示す出力回路は、トランジスタＴｒ、保持容量Ｃ、およびスイッチＳＷ１〜スイッチＳＷ３を備える。入力時においては、スイッチＳＷ１およびＳＷ３をオン状態にして、入力電流に応じた電圧を保持容量Ｃに保持する。出力時においては、スイッチＳＷ１およびスイッチＳＷ３をオフ状態にしてスイッチＳＷ２をオン状態にする、すると、保持容量Ｃに保持された電圧に応じた電流が出力電流として出力される。
【００５３】
（７）上述した実施形態において、モニタ部３１０は、複数の変換ユニットＵ１〜Ｕ４を用いたが、図１２に示すようにモニタ電流信号ＭＩ１２、ＭＩ２１、ＭＩ２２、およびＭＩ３１を選択するセレクタ３１３と１個の変換ユニットＵ１とによって構成してもい。この場合は、時分割で各モニタ電流信号ＭＩ１２、ＭＩ２１、ＭＩ２２、およびＭＩ３１を選択し、選択した信号をモニタデータに変換する。これにより、モニタ部３１０の構成を大幅に簡略化できる。
【００５４】
（８）上述した実施形態においては、駆動モジュールＤＲ１→駆動モジュールＤＲ２→駆動モジュールＤＲ３のといったように隣接するモジュールから出力される電流に近づくように調整対象となるモジュールを調整したが、総ての駆動モジュールＤＲ１〜ＤＲ３を絶対基準値に合わせこむようにしてもよい。また、絶対基準値は各駆動モジュールＤＲ１〜ＤＲ３の出力電流の平均値に設定してもよいし、あるいは、電気光学装置１の仕様によって一意に定めてもよい。
【００５５】
（９）上述した実施形態において、駆動モジュール間の電流変換ゲインの調整は、駆動モジュールＤＲ１〜ＤＲ３の電源投入直後に実行してもよい。また、電流制御データＣＴＬ１〜ＣＴＬ３を不揮発性メモリに記憶することによって、製品の出荷時に実行してもよい。また、モニタ電流出力回路２２１を個別に用いる場合には、通常動作時において常時調整動作を実行するようにしてもよいし、例えば、垂直ブランキング期間に実行してもよい。
（１０）本実施形態においては、テストデータＤｔｅｓｔの階調値を最大輝度に設定したが、例えば、中間階調に設定してもよい。また、複数の階調について電流制御データＣＴＬ１〜ＣＴＬ３を生成し、平均値を採用するようにしてもよい。
【００５６】
（１１）本実施形態では、基準電流Ｉｒｅｆの値を調整することによって駆動モージュールＤＲ１〜ＤＲ３間のばらつきを低減したが、出力部２２０に供給する基準電圧Ｖｒｅｆを直接調整の対象としてもよい。さらに、図５に示すトランジスタ７０１のゲート電圧を調整の対象としてもよい。
（１２）本実施形態では、電流制御データＣＴＬ１〜ＣＴＬ３を制御することによって出力部２２０の電流変換ゲインを調整したが、各駆動モジュールＤＲ１〜ＤＲ３に供給する出力階調データＤｏｕｔに制御係数を乗算することによって輝度の均一化を図ってもよい。あるいは、出力階調データＤｏｕｔの信号レベルを変換するルックアップテーブルを切り替えることによって輝度の均一化を図ってもよい。
【００５７】
＜３．第２実施形態＞
次に、本発明に係る第２実施形態について説明する。第２実施形態の電気光学装置１は階調信号Ｘ１〜Ｘ３６０が電圧信号として与えられる点で、電流信号として与えられる第第１実施形態の電気光学装置１と相違する。
図１３に第２実施形態の画素回路４００Ｂを示す。同図に示す画素回路４００Ｂは、ｉ行目の画素に対応するものであり、供給電源電圧Ｖｄｄが供給される。画素回路４００Ｂが、上述した画素回路４００Ａと相違するのは、ＴＦＴ４０２〜４０３を削除し、データ線１０３とＴＦＴ４０１のゲート電極との間にＴＦＴ４０５を設け、ＴＦＴ４０５のゲート電極を走査線１０１に接続した点と、ＴＦＴ４０１のドレイン電極をＯＬＥＤ素子４２０の陽極に接続した点である。
【００５８】
このような構成において、走査信号ＹｉがＨレベルになると、ｎチャネル型ＴＦＴ４０５がオン状態となるので、接続点Ｑの電圧が電圧Ｖdataと等しくなる。このとき、容量素子４１０にはＶｄｄ−Ｖdataに相当する電荷が蓄積される。次に、走査信号ＹｉがＬレベルになると、ＴＦＴ４０５はオフ状態となる。ＴＦＴ４０１のゲート電極における入力インピーダンスは極めて高いので、容量素子４１０における電荷の蓄積状態は変化しない。ＴＦＴ４０１のゲート・ソース間電圧は、電圧Ｖdataが印加されたときの電圧（Ｖｄｄ−Ｖdata）に保持される。ＯＬＥＤ素子４２０に流れる電流Ｉoledは、ＴＦＴ４０１のゲート・ソース間電圧によって定まるので、電圧Ｖdataに応じた電流Ｉoledが流れる。このように画素回路４００Ｂは、電圧Ｖdataによって発光輝度を規定することから、電圧プログラム方式の回路である。即ち、第２実施形態の階調信号Ｘ１〜Ｘ３６０は電圧信号として与えられる。
【００５９】
図１４に第２実施形態に用いられる駆動モジュールＤＲ１のブロック図を示す。なお、駆動モジュールＤＲ２およびＤＲ３は、駆動モジュールＤＲ１と同様に構成されている。第２実施形態の駆動モジュールＤＲ１が第１実施形態と相違するのは、モニタ電流出力回路２２１および駆動電流出力回路２２２の後段にＩ／Ｖ変換回路２２３が設けられた点である。Ｉ／Ｖ変換回路２２３は電流信号を電圧信号に変換して出力する。この例では、左端のＩ／Ｖ変換回路２２３からモニタ電圧信号ＭＶ１１が出力され、右端のＩ／Ｖ変換回路２２３からモニタ電圧信号ＭＶ１２が出力される。なお、第２実施形態の変換ユニットＵ１〜Ｕ４には電圧信号が供給されるので、Ｉ／Ｖ変換回路３１１は不要であり、モニタ電圧信号ＭＶ１２等が直接、ＤＡ変換器３１２に供給される。
【００６０】
このように電圧プログラム方式の画素回路４００Ｂを採用する電気光学装置１においても、第１実施形態と同様に駆動モジュールＤＲ１〜ＤＲ３間のばらつきを電圧変換ゲインを調整することによって低減することができる。この結果、複数の駆モジュールを用いてデータ線１０３を駆動する場合に、表示輝度を均一にすることが可能となる。
【００６１】
上述した第２実施形態では、電流から電圧を生成して出力する構成となっているが、本発明はこれに限定されるものではなく、通常の液晶ドライバで採用されている電圧出力型のＤＡ変換器を駆動モジュールが有していてもよい。このような駆動モジュールの場合は、電流制御データＣＴＬ１〜ＣＴＬ３によって電圧変換ゲインを調整するのではなく、ＤＡ変換の基準となる電圧や電流を調整したり、あるいは、出力階調データＤｏｕｔのゲインを駆動モジュールごとに調整することで、輝度が均一になるように制御してもよい。また、上述した第１実施形態で説明した変形例も、電流を電圧に置き換えることによって第２実施形態に適用してもよいことは勿論である。
【００６２】
＜４．応用例＞
上述した実施形態は、電気光学物質として、有機ＥＬ（ElectroLuminescent）で構成されたＯＬＥＤ素子４２０を備えた電気光学装置を例示したが、有機ＥＬ以外の電気光学物質を用いた電気光学パネルにも本発明は適用される。電気光学物質とは、電気信号（電流信号または電圧信号）の供給によって透過率や輝度といった光学的特性が変化する物質である。例えば、液晶や発光ポリマーなどを電気光学物質として用いた表示パネルや、着色された液体と当該液体に分散された白色の粒子とを含むマイクロカプセルを電気光学物質として用いた電気泳動表示パネル、極性が相違する領域ごとに異なる色に塗り分けられたツイストボールを電気光学物質として用いたツイストボールディスプレイパネル、黒色トナーを電気光学物質として用いたトナーディスプレイパネル、あるいはヘリウムやネオンなどの高圧ガスを電気光学物質として用いたプラズマディスプレイパネルなど各種の電気光学パネルに対しても上述した各実施形態と同様に本発明が適用され得る。
【００６３】
次に、上述した実施形態及び変形例に係る電気光学装置１を適用した電子機器について説明する。図１５に、電気光学装置１を適用したモバイル型のパーソナルコンピュータの構成を示す。パーソナルコンピュータ２０００は、表示ユニットとしての電気光学装置１と本体部２０１０を備える。本体部２０１０には、電源スイッチ２００１及びキーボード２００２が設けられている。この電気光学装置はＯＬＥＤ素子４２０を用いるので、視野角が広く見易い画面を表示できる。
図１６に、電気光学装置１を適用した携帯電話機の構成を示す。携帯電話機３０００は、複数の操作ボタン３００１及びスクロールボタン３００２、並びに表示ユニットとしての電気光学装置１を備える。スクロールボタン３００２を操作することによって、電気光学装置１に表示される画面がスクロールされる。
図１７に、電気光学装置１を適用した情報携帯端末（ＰＤＡ：Personal Digital Assistants）の構成を示す。情報携帯端末４０００は、複数の操作ボタン４００１及び電源スイッチ４００２、並びに表示ユニットとしての電気光学装置１を備える。電源スイッチ４００２を操作すると、住所録やスケジュール帳といった各種の情報が電気光学装置１に表示される。
なお、電気光学装置１が適用される電子機器としては、図１５〜１７に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、前述した電気光学装置が適用可能である。
【図面の簡単な説明】
【００６４】
【図１】本発明の第１実施形態に係る電気光学装置の構成を示すブロック図である。
【図２】同装置における走査線駆動回路のタイミングチャートである。
【図３】同装置における画素回路の構成を示す回路図である。
【図４】同装置における駆動モジュールの構成を示すブロック図である。
【図５】同モジュールに設ける電流調整部の構成を示す回路図である。
【図６】同モジュールに設ける駆動電流出力回路の構成を示す回路図である。
【図７】同装置における制御回路およびその周辺回路のブロック図である。
【図８】同装置の調整動作を示すフローチャートである。
【図９】第１実施形態の変形例に係る出力部の構成例を示すブロック図である。
【図１０】同変形例に係る出力部の他の構成例を示すブロック図である。
【図１１】同変形例に係る出力部をカレントミラー回路以外の回路で構成する場合の構成例を示す回路図である。
【図１２】同変形例に係るモニタ部の構成例を示すブロック図である。
【図１３】本発明の第２実施形態に係る電気光学装置に用いる画素回路の構成を示す回路図である。
【図１４】同装置に用いる駆動モジュールの構成を示すブロック図である。
【図１５】同装置を適用したモバイル型のパーソナルコンピュータの構成を示す斜視図である。
【図１６】同電気光学装置を適用した携帯電話機の構成を示す斜視図である。
【図１７】同電気光学装置を適用した携帯情報端末の構成を示す斜視図である。
【符号の説明】
【００６５】
１…電気光学装置、２００…データ線駆動回路、ＤＲ１〜ＤＲ３…駆動モジュール、２１０…電流調整部、２２０…出力部、２２１…モニタ電流出力回路、２２２…駆動電流出力回路、２２３…選択回路、３００…制御回路、３１０…モニタ部、３２０…制御データ生成部、Ｕ１〜Ｕ４…変換ユニット。
【図１】
2005338157.tif 000003
【図２】
2005338157.tif 000004
【図３】
2005338157.tif 000005
【図４】
2005338157.tif 000006
【図５】
2005338157.tif 000007
【図６】
2005338157.tif 000008
【図７】
2005338157.tif 000009
【図８】
2005338157.tif 000010
【図９】
2005338157.tif 000011
【図１０】
2005338157.tif 000012
【図１１】
2005338157.tif 000013
【図１２】
2005338157.tif 000014
【図１３】
2005338157.tif 000015
【図１４】
2005338157.tif 000016
【図１５】
2005338157.tif 000017
【図１６】
2005338157.tif 000018
【図１７】
2005338157.tif 000019